(57)【要約】【課題】本発明は、薄型で運搬の容易な照明器具を提供することを目的とする。【解決手段】ハウジング１０とハウジング１０に取り付けられて、ハウジング１０との間に灯室Ｓを形成する拡散カバー２０と、灯室Ｓの内部でハウジング２０に固定された基板３０と、発光面が拡散カバー２０を向くように基板３０に搭載された半導体発光素子４０と、半導体発光素子４０に電力を供給する電源部６０と、を有し、電源部６０の少なくとも一部が灯室Ｓ内で基板３０と拡散カバー２０との間に設けられている、照明器具１が提供される。【選択図】図２
2014229508.tif 000002
【特許請求の範囲】
【請求項１】
ハウジングと
前記ハウジングに取り付けられて、前記ハウジングとの間に灯室を形成する拡散カバーと、
前記灯室の内部で前記ハウジングに固定された基板と、
発光面が前記拡散カバーを向くように前記基板に搭載された半導体発光素子と、
前記半導体発光素子に電力を供給する電源部と、を有し、
前記電源部の少なくとも一部が前記灯室内で前記基板と前記拡散カバーとの間に設けられている、照明器具。
【請求項２】
前記電源部の外表面が反射面である、請求項１に記載の照明器具。
【請求項３】
前記拡散カバーの可視光に対する反射率が２０％以上である、請求項１または２に記載の照明器具。
【請求項４】
前記拡散カバーの可視光に対する透過率が８０％以下である、請求項１から３のいずれか一項に記載の照明器具。
【請求項５】
外部電源から電力を受け取る給電端子が前記ハウジングの外周面に設けられた開口から臨むように設けられている、請求項１から４のいずれか一項に記載の照明器具。
【発明の詳細な説明】
【技術分野】
【０００１】
本発明は、照明器具に関する。
【背景技術】
【０００２】
システム天井に取り付けられるパネル型の照明器具が知られている（特許文献１参照）。
【先行技術文献】
【特許文献】
【０００３】
【特許文献１】特開２０１２−９２７４号公報
【発明の概要】
【発明が解決しようとする課題】
【０００４】
特許文献１に記載の照明器具は、電源ユニットが照明器具の発光面の反対側に突き出すように設けられている。このように電源ユニットが外部に突き出すように設けられていると、天井裏のスペースを無駄にしたり、あるいは複数の照明器具を重ねることが難しく複数の照明器具をまとめて運搬しにくい。
【０００５】
そこで本発明は、薄型で天井裏のスペースに無駄が生じにくく、運搬の容易な照明器具を提供することを目的とする。
【課題を解決するための手段】
【０００６】
本発明によれば、
ハウジングと
前記ハウジングに取り付けられて、前記ハウジングとの間に灯室を形成する拡散カバーと、
前記灯室の内部で前記ハウジングに固定された基板と、
発光面が前記拡散カバーを向くように前記基板に搭載された半導体発光素子と、
前記半導体発光素子に電力を供給する電源部と、を有し、
前記電源部の少なくとも一部が前記灯室内で前記基板と前記拡散カバーとの間に設けられている、照明器具が提供される。
電源部を照明器具の灯室の内部に設けたため、複数の照明器具を積み重ねやすく、運搬が容易である。また、半導体発光素子からの出射光を拡散させるために設けた基板と拡散カバーとの間の空間に電源部の少なくとも一部を設けたため、薄型で天井裏のスペースに無駄が生じにくく、運搬が容易な照明器具を提供することができる。
【０００７】
上記照明器具において、前記電源部の外表面が反射面であってもよい。これにより、電源ユニットに起因する暗部が拡散カバーに生じない。
【０００８】
上記照明器具において、前記拡散カバーの可視光に対する反射率が２０％以上であってもよい。半導体発光素子から出射された光を灯室内で多重反射させやすくなり、半導体発光素子および電源部を外部から視認させにくくすることができる。
【０００９】
上記照明器具において、前記拡散カバーの可視光に対する透過率が８０％以下であってもよい。拡散カバーの透過率を８０％以下に設定することにより、半導体発光素子および電源部が拡散カバーから透けて見えることを防止できる。
【００１０】
上記照明器具において、外部電源から電力を受け取る給電端子が前記ハウジングの外周面に設けられた開口から臨むように設けられていてもよい。複数の照明器具を安定して積み重ねることができ、運搬しやすい。
【発明の効果】
【００１１】
本発明によれば、薄型で天井裏のスペースに無駄が生じにくく、運搬の容易な照明器具が提供される。
【図面の簡単な説明】
【００１２】
【図１】本発明の第一実施形態にかかる照明器具の下面から見た平面図であり、拡散カバーの一部を切り欠いてその内部構造を示している。
【図２】図１のＩＩ−ＩＩ線断面図である。
【図３】本発明の第二実施形態にかかる照明器具を図１と同様に示した図である。
【図４】図３のＩＶ−ＩＶ線断面図である。
【発明を実施するための形態】
【００１３】
（第一実施形態）
本発明の第一実施形態に係る照明器具１を、図１および図２を参照しつつ説明する。
図１は本実施形態に係る照明器具１を拡散カバー２０側から見た平面図であり、拡散カバー２０の一部を切り欠いて示している。図２は図１に示した照明器具１のＩＩ−ＩＩ線断面図である。なお、以降の説明において、下方向とは図２に示すＸ方向を言い、左方向とは図２に示すＹ方向を言う。
【００１４】
図１，２に示したように、照明器具１は扁平な直方体形状の照明器具である。本実施形態に係る照明器具１が取り付けられるシステム天井は、格子状に張り巡らされた梁によって区切られたパネル空間が設けられており、このパネル空間内に照明器具１が嵌めこまれる。
【００１５】
本実施形態の照明器具１は、システム天井の矩形状に区切られたパネル状の空間に隙間無く嵌め込むために、図１の平面視で縦横が例えば６００ｍｍの正方形の形状に形成されている。この照明器具１は複数のＴバー１００と呼ばれる固定具に支持される（図２参照）。このＴバー１００は、システム天井の梁から下方に突き出すように取り付けられており、その先端に照明器具１が支持される支持部１０１が設けられている。
【００１６】
照明器具１は、ハウジング１０と、拡散カバー２０と、基板３０と、半導体発光素子４０と、反射シート５０と、電源部６０とを備えている。
【００１７】
ハウジング１０は平面視で正方形の部材である。また図２に示すように、ハウジング１０は下方が開口した薄い箱状の部材である。ハウジング１０の上面１１（拡散カバー２０と向かい合う外周面）は平坦面とされている。ハウジング１０は、金属板を折り曲げて形成したり、絞り加工により形成することができる。
【００１８】
拡散カバー２０は半透明で乳白色のアクリル樹脂からなる。拡散カバー２０は、上方が開口した箱状の部材である。拡散カバー２０の下面２１は平坦面とされている。この下面２１および下面２１からハウジング１０側に延びる側面２２が、半導体発光素子４０が出射した光により光って見える。
【００１９】
拡散カバー２０はハウジング１０に取り付けられて、拡散カバー２０とハウジングとの間に灯室Ｓを形成する。灯室Ｓの内部に、基板３０、半導体発光素子４０、反射シート５０および電源部６０が配置される。
【００２０】
基板３０は縦長の矩形状の部材である。複数個の基板３０が横方向に等間隔を隔てて配列されている。また、この基板３０には、複数個の半導体発光素子４０が基板３０の長手方向に沿って設けられている。これらの半導体発光素子４０はそれぞれレンズ４１により覆われている。
【００２１】
基板３０はプリント基板などによって構成することができる。基板３０にはプリント配線が施され、電源部６０からの電力を半導体発光素子４０に供給する。基板３０はハウジング１０に接着剤やクリップ、ねじなどにより固定されている。基板３０はハウジング１０と面接触されている。これにより、半導体発光素子４０で生じた熱を効率よく金属製のハウジング１０へ伝えることができる。
【００２２】
半導体発光素子４０は発光面が拡散カバー２０側（下側）を向くように基板３０に取り付けられている。半導体発光素子４０としてはＬＥＤや有機ＥＬ素子を用いることができる。
【００２３】
半導体発光素子４０の下面には、半導体発光素子４０の発光面を覆うようにレンズ４１が取り付けられている。レンズ４１は、半導体発光素子４０からの光Ｌ１を、隣接する半導体発光素子４０の真下の拡散カバー２０に向かうように屈折させている。
【００２４】
反射シート５０は基板３０および基板３０どうしの隙間を拡散カバー２０側から覆うように設けられている。反射シート５０の下面は白色の高い反射率を持つ表面とされている。反射シート５０のレンズ４１に対応する位置には開口５１が設けられている。レンズ４１は反射シート５０の開口５１から拡散カバー２０側に臨んでいる。同様に、反射シート５０の電源部６０に対応する位置にも開口５２が設けられており、電源部６０は開口５２から拡散カバー２０側に臨んでいる。
【００２５】
電源部６０は基板３０と同様に長尺の部材である。電源部６０は、その長手方向が基板３０の長手方向と平行となる向きでハウジング１０に固定されている。本実施形態において、電源部６０は下面から見て照明器具１の中央に配置されている。
【００２６】
電源部６０は、給電端子６１、トランス、半導体素子、回路基板、電源カバー６２などからなる。電源部６０は、商用の交流電流を受け取り、この交流電流を半導体発光素子に適した直流電流に変換するユニットである。電源部６０は変換した直流の電力を、図示しない配線を介して複数の半導体発光素子４０に供給する。電源部６０は、半導体発光素子４０に供給する電圧や電流を調節する機能を備えていても良い。
【００２７】
電源部６０は、灯室Ｓの内部でハウジング１０に固定されている。電源部６０の少なくとも一部は、基板３０と拡散カバー２０との間に位置されている。本実施形態においては、電源部６０の下部の一部が反射シート５０よりも拡散カバー２０側に突出している。
【００２８】
電源カバー６２は、給電端子６１、トランス、半導体素子、回路基板などが直接灯室Ｓ内に露出しないように、これらの部材と灯室Ｓとを隔てる金属板である。電源カバー６２の外表面は白色の高い反射率を持つ反射面とされている。本実施形態では、断面視で台形状とされている。
【００２９】
給電端子６１は、灯室Ｓ内に設けられた電源部６０からハウジング１０の上面１１を貫通してその一部が外部に突き出している。ハウジング１０の上面１１には、給電端子６１が外部に臨むことができる開口１２が設けられている。給電端子６１は、外部電源７０からの端子と接続される。
【００３０】
本実施形態に係る照明器具１によれば、電源部６０が灯室Ｓの内部に設けられており、照明器具１の外部に設けられていない。このため、天井に照明器具１を取り付けたときに、天井裏のスペースに無駄が生じにくい。また、電源部６０が大きく照明器具１の外部に向かって突き出していないため、複数の照明器具１を積み重ねやすい。このため、複数の照明器具１を積み重ねた状態で容易に運搬することができる。
【００３１】
運搬の容易性を考慮して電源部を照明器具の内部に配置しようとする場合、電源部の影が拡散カバーに映ることを避けるために、基板とハウジングとの間に電源部を配置することが考えられる。しかしこのように照明器具を構成すると、照明器具の高さ寸法が大きくなってしまう。そこで本発明者らは、灯室Ｓのうち、拡散カバー２０と基板３０との間に設けられている空間に着目した。
【００３２】
拡散カバー２０と半導体発光素子４０との間には、半導体発光素子４０から出射した光を拡散させて拡散カバー２０に入射させるために、大きな空間が確保されている。そこで本実施形態に係る照明器具１は、この空間に電源部６０の少なくとも一部を設けている。このように、照明器具１の上下方向について、光を拡散させるために確保した大きな空間に、トランスなど比較的大きな部材からなる電源部６０を配置したので、照明器具１の上下方向の寸法を短くして天井裏のスペースの無駄を省きつつ、運搬の容易性を実現できた。
【００３３】
またこの電源部６０は電源カバー６２で覆われ、さらに電源カバー６２の外表面は反射面とされている。これにより、電源部６０のトランスなどの部材の影が拡散カバー２０に映り込むことを抑制できる。
【００３４】
また、拡散カバー２０の可視光に対する反射率が２０％以上であることが好ましい。半導体発光素子４０から出射された光を、拡散カバー２０や反射シート５０などにより、灯室Ｓ内で多重反射させることにより、半導体発光素子４０による明部や、電源部６０による暗部を外部から視認させにくくすることができる。これにより、拡散カバー２０を均一な明るさで光らせることができる。拡散カバー２０の反射率が２０％未満であると、半導体発光素子４０による明部や、電源部６０による暗部を外部から視認されてしまう虞がある。
【００３５】
また、拡散カバー２０の可視光に対する透過率が８０％以下であることが好ましい。拡散カバー２０の透過率が８０％より大きいと、半導体発光素子４０や電源部６０が外部から透けて見えてしまう。
【００３６】
また拡散カバー２０と基板３０との間には白色で反射率の高い反射シート５０が設けられている。このため、半導体発光素子４０から出射した光が拡散カバー２０と反射シート５０で多重反射し、拡散カバー２０の下面２１全体を均一に光らせることができる。また、多重反射した光により、基板３０から拡散カバー２０側に突き出した電源部６０の影が拡散カバー２０の下面２１に映り込むことを抑制できる。
【００３７】
また図１に示したように電源部６０を平面視で左右方向の中央に配置した。これにより、電源部６０に対応する中央付近の拡散カバー２０の下面２１の照度が低下する。拡散カバー２０の下面２１の中央付近は、複数の半導体発光素子４０からの光が入射するので、明るく光りやすい。このため、電源部６０によって拡散カバー２０の下面２１の中央の照度を抑制することができる。これにより、拡散カバー２０の下面２１を均一に光らせることができる。
【００３８】
なお上述した第一実施形態に係る照明器具１では電源部６０を平面視で中央に設けたが、本発明はこの例に限られない。図３および図４は本発明の第二実施形態に係る照明器具１Ａを示す図である。図３は第二実施形態に係る照明器具を図１と同様に示した図であり、図４は図３のＩＶ−ＩＶ線断面図である。
【００３９】
第二実施形態に係る照明器具１Ａについて、上述した第一実施形態の照明器具１と同様の部材については同じ符号を付して、その詳細な説明は省略する。
【００４０】
図３に示したように、第二実施形態の照明器具１Ａの電源部６０は、平面視で最も左右方向の端部側に位置する基板３０とハウジング１０の側壁１３との間に配置されている。本実施形態に係る照明器具１Ａによれば、電源部６０Ａによる暗部が形成されるとしても、該暗部は平面視において外周縁部に形成されるので、該暗部が目立ちにくい。
【００４１】
また、図示したように半導体発光素子４０からの出射光Ｌ２をＴバー１００の支持部１０１の側壁で反射させることにより、電源部６０とハウジング１０の側壁１３との間の下方に位置する拡散カバー２０の下面２１の外周縁の照度を高めることができる。これによって、電源部６０Ａによる暗部を埋め合わせるように照度を高め、拡散カバー２０の下面２１の全体を均一な照度で光らせることができる。
【００４２】
また本実施形態に係る電源部６０Ａの給電端子６１Ａはハウジング１０の上面１１と同一平面状とされている。これにより、照明器具１Ａの上面全体が同一平面状とされている。このため、複数の照明器具１Ａを積み重ねて運搬がしやすい。
【００４３】
以上、本発明をその実施形態を用いて説明したが、本発明の技術的範囲は上記実施形態に記載の範囲には限定されない。上記実施形態に多様な変更または改良を加えることができることは、当業者にとって明らかである。
【００４４】
上述の説明ではシステム天井用の照明器具を例に挙げて説明したが、本発明は面発光型で薄型の、例えばリビング用の照明器具に適用することができる。
【００４５】
また上述した基板３０や半導体発光素子４０の個数、照明器具１の形状などは一例であって、本発明はこれらに限定されることはない。
また電源部６０の断面形状は、図２に示した台形や図４に示した三角形に限らず、円、矩形、多角形などとすることができる。
【００４６】
また上述の説明では、電源部６０が、電源部６０のトランスなど内部の部材を覆う電源カバー６２を備えた例を挙げて説明したが、トランスなど内部の部材の拡散カバー２０側を反射カバー５０で覆ってもよい。
【符号の説明】
【００４７】
１：照明器具、１０：ハウジング、２０：拡散カバー、３０：基板、４０：半導体発光素子、４１：レンズ、Ｓ：灯室、１００：Ｔバー、１０１：支持部
【図１】
2014229508.tif 000003
【図２】
2014229508.tif 000004
【図３】
2014229508.tif 000005
【図４】
2014229508.tif 000006